(57)【要約】【課題】必要以上に電動ルーバを動作さることなく、電動ルーバの固着の防止を図ることのできる浴室空調装置を提供する。【解決手段】吹出口９から浴室内へ吹き出される空気の方向を変える電動ルーバ１７Ａを備えた浴室空調装置１であって、前記浴室の使用状態を判断する使用判断手段を設け、この使用判断手段の判断に基づいて電動ルーバ１７Ａを動作させる。【選択図】  図１
2007315709.tif 000002
【特許請求の範囲】
【請求項１】
吹出口から浴室内へ吹き出される空気の方向、または浴室内の空気を吸い込む吸込口の開度を変える可動手段を備えた浴室空調装置であって、
前記浴室の使用状態を判断する使用判断手段を設け、
この使用判断手段の判断に基づいて前記可動手段を動作させることを特徴とする浴室空調装置。
【請求項２】
前記使用判断手段は、浴室の温度を検知する温度検知手段であり、
所定時間内でその温度検知手段が検知する第１温度と第２温度の差が所定温度差以上のとき、前記可動手段を動作させることを特徴とする請求項１に記載の浴室空調装置。
【請求項３】
前記所定温度差以上が検出されたとき、この検出した時点から所定時間経過後に前記可動手段を動作させることを特徴とする請求項２に記載の浴室空調装置。
【請求項４】
前記使用判断手段は、浴室の湿度を検知する湿度検知手段であり、
所定時間内でその湿度検知手段が検知する第１湿度と第２湿度の差が所定値以上のとき、前記可動手段を動作させることを特徴とする請求項１に記載の浴室空調装置。
【請求項５】
前記第１湿度と第２湿度の差が所定値以上であることを検出したとき、この検出した時点から所定時間経過後に前記可動手段を動作させることを特徴とする請求項４に記載の浴室空調装置。
【請求項６】
前記使用判断手段は、浴室の照明の点灯時間を累積する点灯累積手段であり、
この点灯累積手段が累積した点灯累積時間が所定時間に達したとき、前記可動手段を動作させることを特徴とする請求項１に記載の浴室空調装置。
【請求項７】
点灯累積手段が累積した点灯累積時間が所定時間に達したとき、この達した時点から所定時間経過後に前記可動手段を動作させることを特徴とする請求項６に記載の浴室空調装置。
【請求項８】
前記使用判断手段は、浴室の浴槽に湯張りが行われたか又は追い炊きが行われたかを検出する検出手段であり、
この検出手段が湯張り又は追い炊きを検出したとき前記可動手段を動作させることを特徴とする請求項１に記載の浴室空調装置。
【請求項９】
前記検出手段が湯張り又は追い炊きを検出したとき、この検出時点から所定時間経過後に前記可動手段を動作させることを特徴とする請求項８に記載の浴室空調装置。
【請求項１０】
吹出口から浴室内へ吹き出される空気の方向を変える可動手段を備えた浴室空調装置であって、
浴室空調装置の運転状態が変更されたとき前記可動手段を動作させることを特徴とする浴室空調装置。
【請求項１１】
前記可動手段を動作させたとき、この動作を終了した時点から一定時間は可動手段の再動作を禁止することを特徴とする請求項１ないし請求項１０のいずれか１つに記載の浴室空調装置。
【発明の詳細な説明】
【技術分野】
【０００１】
この発明は、吹出口から浴室内へ吹き出される空気の方向、または浴室内の空気を吸い込む吸込口の開度を変える可動手段を備えた浴室空調装置に関する。
【背景技術】
【０００２】
従来から、浴室内の暖房や乾燥や換気などを行う暖房付換気乾燥機が知られている（特許文献１参照）。
【０００３】
かかる暖房付換気乾燥機は、予備暖房モード，浴中暖房モード，衣類乾燥モード，浴室乾燥モード，換気モードなどを有し、各モードで最適な風向制御を行うために電動ルーバを備えている。
【０００４】
このような暖房付換気乾燥機では、夏場などのとき予備暖房モード，浴中暖房モード，衣類乾燥モード，浴室乾燥モードなどを長期間行わない場合、ルーバの摺動部が固着することがあり、これを防止するため電動ルーバを一定時間毎に動作させている。
【特許文献１】特開２００１−１９８３９７号公報
【発明の開示】
【発明が解決しようとする課題】
【０００５】
しかしながら、このような暖房付換気乾燥機にあっては、浴室を使用しない場合、電動ルーバを一定時間毎に駆動させるため、必要以上に電動ルーバを動作させてしまうという問題があった。
【０００６】
この発明の目的は、必要以上に電動ルーバを動作さることなく、電動ルーバの固着の防止を図ることのできる浴室空調装置を提供することにある。
【課題を解決するための手段】
【０００７】
この発明は、吹出口から浴室内へ吹き出される空気の方向、または浴室内の空気を吸い込む吸込口の開度を変える可動手段を備えた浴室空調装置であって、
前記浴室の使用状態を判断する使用判断手段を設け、
この使用判断手段の判断に基づいて前記可動手段を動作させることを特徴とする。
【発明の効果】
【０００８】
この発明によれば、必要以上に可動手段を動作させることなく、可動手段の固着の防止を図ることができる。
【発明を実施するための最良の形態】
【０００９】
以下、この発明に係わる浴室空調装置の実施の形態である実施例を図面に基づいて説明する。
【実施例】
【００１０】
［第１実施例］
図１および図２に示す浴室空調装置１は、空気を吸い込んで吹き出す循環・換気ファン部２と、循環・換気ファン部２が取り付けられる本体部３を備える。循環・換気ファン部２は給気手段の一例で、多翼の羽根車４と、羽根車４を回転駆動するファンモータ５と、風路を形成するファンケース６を備える。
【００１１】
本体部３は、下面が開口した鉄等の金属製のケースの内部に循環・換気ファン部２が取り付けられる。本体部３は、下面の形状が長方形であり、循環・換気ファン部２は、羽根車４が本体部３の長手方向の一方の側に偏って配置される。
【００１２】
ファンモータ５は、羽根車４の回転軸が鉛直方向となるように、ファンケース６に取り付けられる。
【００１３】
ファンケース６は、羽根車４の軸方向に沿った下面が開口してファン吸込口７が形成される。また、ファンケース６は、羽根車４の回転による空気の吹出方向を、本体部３の長手方向に沿った方向とした吹出風路８が形成される。
【００１４】
ここで、羽根車４の直径及びファンケース６の大きさは、本体部３の短手方向の長さに合わせて設定される。
【００１５】
浴室空調装置１は、吹出風路８と連通したファン吹出口９を、循環・換気ファン部２の下面に備える。ファン吹出口９は、羽根車４が回転駆動されることによる空気の吹出方向に沿った本体部３の長手方向の他方の側に形成され、本体部３の長手方向に沿った辺の長さより、本体部３の短手方向に沿った辺の長さを長くした長方形の開口である。
【００１６】
また、浴室空調装置１は、吹出風路８と連通した排気口１０を、循環・換気ファン部２の側部に備える。排気口１０は、羽根車４が回転駆動されることによる空気の吹出方向に沿った本体部３の長手方向の他方の側面に形成され、本体部３は、排気口１０にダクトジョイント１１が取り付けられる。
【００１７】
浴室空調装置１は、ファン吹出口９と排気口１０との間で風路を切り替える風路切替ダンパ１２を備える。風路切替ダンパ１２は、ダンパモータ１３の駆動力がカム１３ａを介して伝達され、軸１２ａを支点に回転して、ファン吹出口９と排気口１０の開閉動作を行う。
【００１８】
循環・換気ファン部２は、風路切替ダンパ１２の位置を、図１に実線で示すように排気口１０を閉じる循環位置とすると、ファン吹出口９が開いて、ファン吸込口７からファン吹出口９へ連通した循環風路１４ａが形成される。
【００１９】
また、循環・換気ファン部２は、風路切替ダンパ１２の位置を、図１に一点鎖線で示すようにファン吹出口９を閉じる換気位置とすると、排気口１０が開いて、ファン吸込口７から排気口１０へ連通した換気風路１４ｂが形成される。
【００２０】
更に、循環・換気ファン部２は、風路切替ダンパ１２の位置を、図１に二点鎖線で示す循環位置と換気位置の間の循環換気位置とすると、ファン吹出口９と排気口１０の双方が開いて、循環風路１４ａと換気風路１４ｂの双方が形成される。
【００２１】
浴室空調装置１は、循環・換気ファン部２のファン吹出口９にヒータ１５を備える。ヒータ１５は加熱手段の一例で、例えばＰＴＣヒータで構成され、ヒータ１５に通電されると、ヒータ１５が加熱されることでファン吹出口９を通る空気が加熱され、ファン吹出口９から温風が吹き出す。
【００２２】
ここで、ヒータ１５は、棒状のヒータ部材１５ａに長手方向に沿って多数のフィン１５ｂが取り付けられた構成で、フィン１５ｂが並ぶ方向を、ファン吹出口９の長手方向に沿った向きとしてファン吹出口９に取り付けられる。
【００２３】
また、ファン吹出口９の短手方向の幅は、２本のヒータ１５が並べて取り付けられる長さを有し、本例では、２本のヒータ１５がファン吹出口９の短手方向に並べて取り付けられる。なお、ヒータ１５の本数は例えば電源電圧等に応じて設定され、１本のヒータ１５が取り付けられる構成でも良い。
【００２４】
ファン吹出口９には、ヒータ１５の過熱を防止するためのサーミスタ（温度検知手段）１００が設けられており、このサーミスタ１００が上限温度を検出したときヒータ１５の通電を停止し、下限温度を検出したときには通電を復帰させるようになっている。
【００２５】
浴室空調装置１は、本体部３の下面にフロントパネル１６を備える。フロントパネル１６は、循環・換気ファン部２のファン吸込口７の下面を開口して吸込口グリル１６ａが形成されると共に、ファン吹出口９の下面を開口して吹出口グリル１６ｂが形成される。
【００２６】
吹出口グリル１６ｂは、ファン吹出口９と同様に、本体部３の短手方向に沿った辺の長さを長くした長方形の開口である。
【００２７】
浴室空調装置１は、吹出口グリル１６ｂに電動ルーバ１７Ａを備える。
【００２８】
図３は可動手段である電動ルーバ１７Ａの一例を示す斜視図である。電動ルーバ１７Ａは、吹出口グリル１６ｂ（ファン吹出口９）の短手方向に沿って延び、吹出口グリル１６ｂの長手方向に沿って並列した複数枚の第１の整流板１８ａと、第１の整流板１８ａの向きを変える第１のルーバモータ１９ａと、各第１の整流板１８ａに駆動力を伝達する第１のリンク機構２０ａを備える。電動ルーバ１７Ａは、第１の整流板１８ａ、第１のルーバモータ１９ａ及び第１のリンク機構２０ａにより、第１の風向切替手段を構成する。
【００２９】
また、電動ルーバ１７Ａは、第１の整流板１８ａと直交する向きに配置される複数枚の第２の整流板１８ｂと、第２の整流板１８ｂの向きを変える第２のルーバモータ１９ｂと、各第２の整流板１８ｂに駆動力を伝達する第２のリンク機構２０ｂを備える。電動ルーバ１７Ａは、第２の整流板１８ｂ、第２のルーバモータ１９ｂ及び第２のリンク機構２０ｂにより、第２の風向切替手段を構成する。
【００３０】
各第１の整流板１８ａは、図示しない枠体等に軸２１ａを支点に回転自在に支持され、１枚の第１の整流板１８ａの軸２１ａに第１のルーバモータ１９ａの軸が連結されている。第１のルーバモータ１９ａはステッピングモータで構成され、第１の整流板１８ａの往復回転動作が可能である。
【００３１】
各第１の整流板１８ａは、第１のリンク機構２０ａを構成するリンクロッド２２ａで連結される。
【００３２】
これにより、第１のルーバモータ１９ａが回転駆動されると、複数枚の第１の整流板１８ａの中で、第１のルーバモータ１９ａの軸と連結された第１の整流板１８ａが軸２１ａを支点に回転すると共に、各第１の整流板１８ａがリンクロッド２２ａで連結されているので、各第１の整流板１８ａが軸２１ａを支点に回転する。
【００３３】
第２の整流板１８ｂも、第１の整流板１８ａと同様の構成で駆動され、各第２の整流板１８ｂは、図示しない枠体等に軸２１ｂを支点に回転自在に支持され、１枚の第２の整流板１８ｂの軸２１ｂに第２のルーバモータ１９ｂの軸が連結されている。第２のルーバモータ１９ｂはステッピングモータで構成され、第２の整流板１８ｂの往復回転動作が可能である。
【００３４】
各第２の整流板１８ｂには、第２のリンク機構２０ｂを構成するリンクレバー２３ｂが取り付けられ、各リンクレバー２３ｂがリンクロッド２２ｂで連結される。
【００３５】
これにより、第２のルーバモータ１９ｂが回転駆動されると、複数枚の第２の整流板１８ｂの中で、第２のルーバモータ１９ｂの軸と連結された第２の整流板１８ｂが軸２１ｂを支点に回転すると共に、各第２の整流板１８ｂがリンクレバー２３ｂ及びリンクロッド２２ｂで連結されているので、各第２の整流板１８ｂが軸２１ｂを支点に回転する。
【００３６】
＜浴室空調装置の設置例＞
図４は浴室空調装置１の設置例を示す浴室の構成図である。まず、本実施の形態の浴室空調装置１が設置される浴室５１の構成について説明すると、浴室５１は、浴槽５２と洗い場５３を備える。浴槽５２は一般的に長方形であり、浴槽５２と洗い場５３は、浴槽５２の短手方向に沿って並んでいる。
【００３７】
浴室５１は、浴槽５２の上部に物干し部材であるランドリパイプ５４を備える。ランドリパイプ５４は、浴槽５２の長手方向に沿って延び、浴室５１の対向する壁面パネル５５に取り付けられる。なお、浴室５１に設置されるランドリパイプ５４の本数は、１本または２本程度であり、本例では、２本のランドリパイプ５４が平行に配置される。
【００３８】
また、物干し部材であるランドリパイプは、洗濯物等の被乾燥物が乾燥できるようになっていれば、パイプ状の部材に限らず、紐状であっても良く、他のものであっても良い。
【００３９】
浴室空調装置１は、浴室５１の天井パネル５６に設置される。浴室５１の天井パネル５６には、浴室空調装置１の本体部３が取り付けられる開口部が形成され、浴室空調装置１は、例えば、本体部３が図示しないアンカーボルト等で浴室５１の天井裏に吊り下げられる形態で、天井パネル５６に取り付けられる。そして、浴室空調装置１は、本体部３の下面にフロントパネル１６が取り付けられ、フロントパネル１６の吸込口グリル１６ａと吹出口グリル１６ｂが、浴室５１内に面する。
【００４０】
なお、浴室５１の天井パネル５６に設置された浴室空調装置１は、本体部３のダクトジョイント１１に排気ダクト５７が取り付けられる。排気ダクト５７は、浴室５１が設置される図示しない建物の外壁に取り付けられる屋外グリル５７ａと接続され、浴室空調装置１は、排気ダクト５７を介して屋外とつながっている。
【００４１】
次に、浴室空調装置１を設置する向きについて、図１〜図４を参照して説明する。浴室空調装置１は、上述したように、本体部３の下面の形状が長方形であり、本体部３の向きが、浴槽５２の長手方向に沿う向きとして、浴槽５２の上部に設置される。
【００４２】
これにより、浴室空調装置１は、吹出口グリル１６ｂの向きが、ランドリパイプ５４の長手方向及び浴槽５２の長手方向に対して直交する向きとなる。
【００４３】
＜浴室空調装置の制御系＞
図５は浴室空調装置１の制御系の構成を示すブロック図である。図５において、６１はＣＰＵやメモリ等で構成される制御部（制御手段）６１であり、この制御部６１は操作部６２の操作やサーミスタ１００の検出信号に基づいて、ファンモータ５，ダンパモータ１３，ヒータ１５，第１のルーバモータ１９ａ及び第２のルーバモータ１９ｂを制御するものである。また、制御部６１はサーミスタ１００の検出信号に基づいて浴室５１の使用を判断する使用判断手段としての機能を有している。サーミスタ１００の代わりに湿度センサ１０１，照明スイッチ１０２を使用判断手段として用いてもよい。
【００４４】
操作部６２は、浴室空調装置１の本体部３と独立したリモートコントロール装置で、例えば浴室５１に隣接した洗面所５８の壁面等に取り付けられ、本体部３に実装される制御部６１とは例えば電気ケーブルで接続される。
【００４５】
＜電動ルーバの動作例＞
図６及び図７は電動ルーバ１７Ａの動作例を示す説明図で、次に、浴室空調装置１の吹出口グリル１６ｂに設置される電動ルーバ１７Ａの動作について説明する。
【００４６】
図６（ａ）に示すように、第１のルーバモータ１９ａが矢印ａ方向に回転駆動されると、第１のルーバモータ１９ａと連結された第１の整流板１８ａが軸２１ａを支点に矢印ａ方向に回転すると共に、各第１の整流板１８ａがリンクロッド２２ａで連結されているので、各第１の整流板１８ａが軸２１ａを支点に矢印ａ方向に回転する。
【００４７】
浴室空調装置１は、長方形の吹出口グリル１６ｂの向きが、上述したようにランドリパイプ５４に対して直交する向きで、第１の整流板１８ａは、吹出口グリル１６ｂの短手方向に沿って延び、かつ吹出口グリル１６ｂの長手方向に沿って並列している。
【００４８】
これにより、複数の第１の整流板１８ａが、それぞれ軸２１ａを支点に矢印ａ方向に回転すると、各第１の整流板１８ａは、図６（ｂ）に示すように一の方向、本例では図４に示す浴室５１の洗い場５３方向に向く。
【００４９】
これに対して、第１のルーバモータ１９ａが矢印ｂ方向に回転駆動されると、第１のルーバモータ１９ａと連結された第１の整流板１８ａが軸２１ａを支点に矢印ｂ方向に回転すると共に、各第１の整流板１８ａが軸２１ａを支点に矢印ｂ方向に回転する。これにより、各第１の整流板１８ａは、図６（ｃ）に示すように他の方向、本例では図４に示す浴室５１のランドリパイプ５４（浴槽５２）方向に向く。
【００５０】
ここで、本例では浴槽５２と洗い場５３との並び方向が第１の方向で、浴槽５２及びランドリパイプ５４の長手方向が第２の方向であり、第１の方向と第２の方向は異なる向きで、かつ、第１の方向と第２の方向は直交している。
【００５１】
図７（ａ）に示すように、第２のルーバモータ１９ｂが矢印ｃ方向に回転駆動されると、第２のルーバモータ１９ｂと連結された第２の整流板１８ｂが軸２１ｂを支点に矢印ｃ方向に回転すると共に、各第２の整流板１８ｂがリンクレバー２３ｂ及びリンクロッド２２ｂで連結されているので、各第２の整流板１８ｂが軸２１ｂを支点に矢印ｃ方向に回転する。これにより、各第２の整流板１８ｂは、図７（ｂ）に示すように一の方向に向く。
【００５２】
これに対して、第２のルーバモータ１９ｂが矢印ｄ方向に回転駆動されると、第２のルーバモータ１９ｂと連結された第２の整流板１８ｂが軸２１ｂを支点に矢印ｄ方向に回転すると共に、各第２の整流板１８ｂが軸２１ｂを支点に矢印ｄ方向に回転する。これにより、各第２の整流板１８ｂは、図７（ｃ）に示すように他の方向に向く。
【００５３】
第２の整流板１８ｂは、上述したように、第１の整流板１８ａに対して直交しているので、第２の整流板１８ｂは、吹出口グリル１６ｂの長手方向に沿って延び、かつ吹出口グリル１６ｂの短手方向に沿って並列している。
【００５４】
従って、第２のルーバモータ１９ｂを所定の範囲で往復回転動作させると、第２の整流板１８ｂは、図７（ｂ）に示す一の方向と図７（ｃ）に示す他の方向の間を往復し、本例では、図４に示す浴室５１のランドリパイプ５４に沿った第２の方向に沿って往復する。
【００５５】
＜浴室空調装置の動作例＞
次に、本実施の形態の浴室空調装置１の動作を各図を参照して説明する。浴室空調装置１の制御部６１は、操作部６２における操作で暖房運転モードが選択されると、ダンパモータ１３を駆動して、風路切替ダンパ１２を図１に実線で示す循環位置にする。
【００５６】
また、制御部６１は、第１のルーバモータ１９ａを駆動して、第１の整流板１８ａの向きを図６（ｂ）に示す一の方向とし、吹出口グリル１６ｂからの送風方向を洗い場５３方向にする。
【００５７】
そして、ファンモータ５を駆動して羽根車４を回転させると共に、ヒータ１５に通電する。
【００５８】
浴室空調装置１は、羽根車４が回転すると、フロントパネル１６の吸込口グリル１６ａから、浴室５１の空気がファン吸込口７へと吸い込まれる。
【００５９】
暖房運転モードでは、風路切替ダンパ１２が循環位置にあるので、ファンケース６では、ファン吸込口７からファン吹出口９へ連通した循環風路１４ａが形成されている。
【００６０】
これにより、羽根車４が回転することでファン吸込口７から吸い込まれた浴室５１の空気は、循環風路１４ａによってファン吹出口９へと流れる。ヒータ１５はファン吹出口９に備えられ、暖房運転モードではヒータ１５に通電されているので、ファン吹出口９へと流れてヒータ１５を通る空気はヒータ１５によって加熱され、吹出口グリル１６ｂから吹き出される。
【００６１】
そして、吹出口グリル１６ｂでは、電動ルーバ１７Ａによって、第１の整流板１８ａの向きが、洗い場５３方向を向いているので、図４に破線の矢印Ｈで示すように、吹出口グリル１６ｂから洗い場５３に向けて温風が吹き出される。
【００６２】
従って、暖房運転モードでは、浴室５１内の空気を循環させながら浴室５１内を暖房して、温度を上げることができる。また、暖房運転モードでは、温風の吹き出し方向が洗い場５３方向であるので、洗い場５３の床面を温めることができ、入浴者が浴室５１に入った際に、足元が冷たく感じることを防ぐことができる。
【００６３】
浴室空調装置１の制御部６１は、操作部６２における操作で換気運転モードが選択されると、ダンパモータ１３を駆動して、風路切替ダンパ１２を図１に一点鎖線で示す換気位置にする。そして、ファンモータ５を駆動して羽根車４を回転させる。なお、換気運転モードでは、ヒータ１５には通電しない。
【００６４】
浴室空調装置１は、羽根車４が回転すると、上述したように、フロントパネル１６の吸込口グリル１６ａから、浴室５１の空気がファン吸込口７へと吸い込まれる。
【００６５】
換気運転モードでは、風路切替ダンパ１２が換気位置にあるので、ファンケース６では、ファン吸込口７から排気口１０へ連通した換気風路１４ｂが形成されている。
【００６６】
これにより、羽根車４が回転することでファン吸込口７から吸い込まれた浴室５１の空気は、換気風路１４ｂによって排気口９へと流れ、排気口９に取り付けられたダクトジョイント１１を介して接続される排気ダクト５７を通って屋外グリル５７ａから屋外へ排気される。また、浴室５１内の空気が屋外に排出されることで、図４に示す浴室ドア５９等に設けた空気取入口５９ａから、隣接する室内である洗面所５８等の空気が吸い込まれる。
【００６７】
従って、換気運転モードでは、浴室５１内の湯気や湿気を排出して結露等を抑制し、カビの発生を抑えることができる。なお、換気運転モードでは、風路切替ダンパ１２を循環換気位置として、浴室５１内の空気を循環させながら、換気を行っても良い。
【００６８】
浴室空調装置１の制御部６１は、操作部６２における操作で乾燥運転モードが選択されると、ダンパモータ１３を駆動して、風路切替ダンパ１２を図１に二点鎖線で示す循環換気位置にする。
【００６９】
また、制御部６１は、第１のルーバモータ１９ａを駆動して、第１の整流板１８ａの向きを図６（ｃ）に示す他の方向とし、吹出口グリル１６ｂからの送風方向をランドリパイプ５４方向にする。
【００７０】
更に、制御部６１は、第２のルーバモータ１９ｂを駆動して、第２の整流板１８ｂの向きを、図７（ｂ）に示す一の方向と図７（ｃ）に示す他の方向の間で往復させ、吹出口グリル１６ｂからの送風方向を、ランドリパイプ５４に沿って往復させる。
【００７１】
そして、ファンモータ５を駆動して羽根車４を回転させると共に、ヒータ１５に通電する。
【００７２】
浴室空調装置１は、羽根車４が回転すると、上述したように、フロントパネル１６の吸込口グリル１６ａから、浴室５１の空気がファン吸込口７へと吸い込まれる。
【００７３】
乾燥運転モードでは、風路切替ダンパ１２が循環換気位置にあるので、ファンケース６では、ファン吸込口７からファン吹出口９へ連通した循環風路１４ａとファン吸込口７から排気口９へ連通した換気風路１４ｂの双方が形成されている。
【００７４】
これにより、羽根車４が回転することでファン吸込口７から吸い込まれた浴室５１の空気の一部は、循環風路１４ａによってファン吹出口９へと流れ、ヒータ１５によって加熱されて、吹出口グリル１６ｂから吹き出される。
【００７５】
そして、吹出口グリル１６ｂでは、電動ルーバ１７Ａによって、第１の整流板１８ａの向きが、ランドリパイプ５４方向を向いているので、図４（ｂ）に実線の矢印Ｉで示すように、吹出口グリル１６ｂからランドリパイプ５４に向けて温風が吹き出される。
【００７６】
また、吹出口グリル１６ｂの向きが、ランドリパイプ５４に対して直交しているので、ランドリパイプ５４に掛けられた洗濯物Ｓの幅Ｗ方向の全体に温風が吹き出される。
【００７７】
更に、吹出口グリル１６では、電動ルーバ１７Ａによって、第２の整流板１８ｂの向きが、ランドリパイプ５４に沿って往復しているので、図４（ａ）に実線の矢印Ｊで示すように、吹出口グリル１６ｂからランドリパイプ１４に沿って広範囲に温風が吹き出される。
【００７８】
また、乾燥運転モードでは、羽根車４が回転することでファン吸込口７から吸い込まれた浴室５１の空気の残部は、換気風路１４ｂによって排気口９へと流れ、排気ダクト５７を通って屋外グリル５７ａから屋外へ排気される。また、浴室５１内の空気が屋外に排出されることで、浴室ドア５９の空気取入口５９ａ等から、洗面所５８の空気が吸い込まれる。
【００７９】
従って、乾燥運転モードでは、浴室５１内に温風を吹き出して、ランドリパイプ５４に掛けられた洗濯物を乾燥させることができる。そして、電動ルーバ１７Ａによってランドリパイプ５４に沿って温風が吹き出されるので、ランドリパイプ５４のどの場所に掛けられた洗濯物に対しても温風を当てることができる。更に、吹出口グリル１６ｂの向きが、ランドリパイプ５４に対して直交しているので、ランドリパイプ５４に掛けられた洗濯物の幅方向の全体に温風を当てることができると共に、図４に示すように２本のランドリパイプ５４を設置した場合でも、各ランドリパイプ５４に掛けられた洗濯物Ｓ全体に温風を当てることができる。よって、多くの洗濯物Ｓに温風が当たることで、乾燥時間を短縮することができる。
【００８０】
また、浴室５１内の空気の一部は屋外に排気されて換気が行われるので、湿気等を排出して、洗濯物の乾燥を促進することができる。
【００８１】
浴室空調装置１の制御部６１は、操作部６２における操作で涼風運転モードが選択されると、ダンパモータ１３を駆動して、風路切替ダンパ１２を図１に二点鎖線で示す循環換気位置にする。
【００８２】
また、制御部６１は、第１のルーバモータ１９ａを駆動して、第１の整流板１８ａの向きを図６（ｂ）に示す一の方向とし、吹出口グリル１６ｂからの送風方向を洗い場５３方向にする。
【００８３】
そして、ファンモータ５を駆動して羽根車４を回転させる。なお、涼風運転モードでは、ヒータ１５には通電しない。
【００８４】
浴室空調装置１は、羽根車４が回転すると、上述したように、フロントパネル１６の吸込口グリル１６ａから、浴室５１の空気がファン吸込口７へと吸い込まれる。
【００８５】
涼風運転モードでは、風路切替ダンパ１２が循環換気位置にあるので、ファンケース６では、ファン吸込口７からファン吹出口９へ連通した循環風路１４ａとファン吸込口７から排気口９へ連通した換気風路１４ｂの双方が形成されている。
【００８６】
これにより、羽根車４が回転することでファン吸込口７から吸い込まれた浴室５１の空気の一部は、循環風路１４ａによってファン吹出口９へと流れる。涼風運転モードでは、ヒータ１５に通電されないので、吹出口グリル１６ｂから浴室５１内の温度に応じた風（涼風）が吹き出される。
【００８７】
そして、吹出口グリル１６ｂでは、電動ルーバ１７Ａによって、第１の整流板１８ａの向きが、洗い場５３方向を向いているので、吹出口グリル１６ｂから洗い場５３に向けて涼風が吹き出される。
【００８８】
また、涼風運転モードでは、羽根車４が回転することでファン吸込口７から吸い込まれた浴室５１の空気の残部は、換気風路１４ｂによって排気口９へと流れ、排気ダクト５７を通って屋外グリル５７ａから屋外へ排気される。また、浴室５１内の空気が屋外に排出されることで、浴室ドア５９の空気取入口５９ａ等から、浴室５１に隣接した洗面所５８の空気が吸い込まれる。
【００８９】
従って、涼風運転モードでは、洗い場５３に向けて涼風を吹き出すことで、洗い場５３に居る入浴者に涼風を当てて、夏季等に扇風機として利用することができる。また、浴室５１内の空気の一部は屋外に排気されて換気が行われるので、湿気等を排出することができる。
【００９０】
なお、涼風運転モードでは、風路切替ダンパ１２を循環位置として、換気を行わずに浴室５１内で循環させる空気で涼風の吹き出しを行っても良い。また、涼風運転モードでは、空気の吹き出し方向を浴槽５２側としても良い。
【００９１】
＜電動ルーバの固着防止の動作例＞
浴室空調装置１が２４時間換気運転モード（常時換気運転モード）に設定された場合、あるいは運転が停止されると、風路切替ダンパ１２が換気位置に移動されるとともに電動ルーバ１７Ａの第１の整流板１８ａが図６（ｂ）または図６（ｃ）に示す位置へ移動され、第２の整流板１８ｂが図７（ｂ）または図７（ｃ）に示す位置へ移動される。これは、下からヒータ１５などが見えないように隠すためである。
【００９２】
ここで、２４時間換気運転モードとは、図４に示す浴室ドア５９等に設けた空気取入口５９ａを利用して、隣接する洗面所５８や他の室内の空気を吸い込ませて各部屋の換気を行うものであり、換気が必要なエリアの容積を換気量とし、この換気量だけ換気が行われた場合を換気回数を１回とし、換気回数が例えば0.5回/時間を満たすように換気を行うことである。
【００９３】
２４時間換気運転モードが設定された場合や運転が停止された場合、制御部６１は電動ルーバ１７Ａの固着防止の処理動作に入る。以下、この処理動作を図８に示すフロー図に基づいて説明する。
【００９４】
ステップ１では、サーミスタ１００の出力に基づいて浴室５１の温度を１秒毎に検出していき、この検出した浴室５１の温度を採取する。
【００９５】
ステップ２では、浴室５１の温度を採取した時点から所定時間経過（例えば１０分経過）したか否かが判断され、ノーであればステップ１へ戻りイエスであればステップ３へ進む。すなわち、１０分経過するまでステップ１，２の処理が繰り返し行われる。
【００９６】
そして、１０分経過するとステップ３へ進み、ステップ３では浴室５１の温度を図示しないメモリに記憶させていく。すなわち、ステップ３では１０分経過ごとに例えば図９に示すように浴室５１の温度を図示しないメモリに記憶させていく。この実施例では、１０分ごとに浴室５１の温度をメモリに記憶させていくが、例えば５分ごとや１５分ごとのように異なる間隔で記憶させてよい。
【００９７】
ステップ４では、上記メモリに記憶されたデータに基づいて過去１時間以内に第１温度である最高温度と第２温度である最低温度が所定温度（例えば５°Ｃ）以上の温度差のデータが有るか否かが判断され、ノーであればステップ１へ戻り、イエスであればステップ５へ進む。
【００９８】
ステップ５では、電動ルーバ１７Ａの第１の整流板１８ａおよび第２の整流板１８ｂを例えば一往復動作させる。
【００９９】
ここで、図９のグラフＧ１に示すように、時点ｔ１で入浴すると浴槽５２の蓋を開けたり温水のシャワーを浴びたりすることにより、浴室５１の温度が大きく上昇していく。そして、浴室５１から出ると（時点ｔ２）、グラフＧ１に示すように浴室５１の温度が除々に下がっていく。
【０１００】
このように、所定時間内の浴室５１の温度差から浴室５１の使用状態すなわち入浴したか否かの判断を行い、この入浴した際に電動ルーバ１７Ａを動作させ、第１の整流板１８ａおよび第２の整流板１８ｂを一往復させるものである。
【０１０１】
ところで、入浴中には例えば入浴剤等が蒸気とともに電動ルーバ１７Ａの第１の整流板１８ａおよび第２の整流板１８ｂの可動部に付着したりして、その第１の整流板１８ａおよび第２の整流板１８ｂが固着してしまう場合があるが、この入浴時に電動ルーバ１７Ａを駆動させるのであるから、第１の整流板１８ａおよび第２の整流板１８ｂの固着を防止することができる。すなわち、必要なときに電動ルーバ１７Ａを動作させてその固着の防止を図ることができ、また、必要以上に電動ルーバ１７Ａを動作させてしまうことも防止することができる。
【０１０２】
この第１実施例では、ヒータ１５の過熱防止用のサーミスタ１００を使用して浴室５１の温度を検出しているが、専用の温度センサを使用して浴室５１の温度を検出してもよい。
［第２実施例］
図１０は第２実施例の処理動作のフロー図を示したものである。この第２実施例では、第１実施例のステップ４の後にステップ５Ａを追加したものである。
【０１０３】
ステップ５Ａは、所定時間経過（例えば１時間経過）したらステップ５へ進めるものである。すなわち、メモリに記憶されたデータに基づいて過去１時間以内に所定温度（例えば５°Ｃ）以上の温度差のデータが有ることを検出した場合、この検出した時点から所定時間経過後に電動ルーバ１７Ａを動作させるようにしたものである。
【０１０４】
このように、所定時間経過後に電動ルーバ１７Ａを動作させるものであるから、浴室５１から入浴者が出た後に電動ルーバ１７Ａの動作を行わせることができ、突然、電動ルーバ１７Ａが動作してしまうという違和感を入浴者に与えてしまうことを防止することができる。また、入浴後すなわち入浴剤などが付着した後に電動ルーバ１７Ａが動作されるので、電動ルーバ１７Ａの第１の整流板１８ａおよび第２の整流板１８ｂの固着を確実に防止することがでできる。
［第３実施例］
図１１は第３実施例の処理動作のフロー図を示したものである。この第３実施例では、第１実施例のステップ５の後にステップ６を追加したものである。
【０１０５】
ステップ６は、電動ルーバ１７Ａを作動させた後に所定時間（例えば５時間）経過したときステップ１へ戻すものである。
【０１０６】
このようにすることにより、電動ルーバ１７Ａが短時間の間に複数回作動してしまうことを防止するものである。
［第４実施例］
図１２は第４実施例の処理動作のフロー図を示したものである。この第４実施例では、第１実施例のステップ４の後にステップ５Ａを追加し、ステップ５の後にステップ６を追加したものである。処理動作は第２実施例および第３実施例と同じなのでその説明は省略する。
【０１０７】
この第４実施例によれば、第２実施例の効果と第３実施例の効果を有することになる。
［第５実施例］
図１３は第５実施例の処理動作のフロー図を示したものであり、この第５実施例では、第１実施例ないし第４実施例のいずれかの処理動作が行われている際に、操作部６２の操作ボタンが操作されたとき、このフロー図の処理動作に移行するものである。以下その処理動作について説明する。
【０１０８】
ステップ１０では、操作部６２の操作ボタンの操作によって浴室空調装置１の運転状態が変更されたか否かが判断され、ノーであれば元の処理動作のルーチンへ戻り、イエスであればステップ１１へ進む。
【０１０９】
ステップ１１では、電動ルーバ１７Ａが一往復動作される。すなわち、電動ルーバ１７Ａの第１の整流板１８ａおよび第２の整流板１８ｂを一往復させて元のルーチンへ戻る。
【０１１０】
この第５実施例では、過去１時間以内に所定温度（例えば５°度Ｃ）以上の温度差がある場合と、操作部６２の操作ボタンによって運転状態が変更されたとき、電動ルーバ１７Ａを一往復動作させるようにしたものである。
［第６実施例］
図１４は第６実施例の処理動作のフロー図を示したものである。この第６実施例では、湿度センサ（湿度検知手段）１０１を例えば図１（ｂ）に示すファン吸込口７の近傍に設け、この湿度センサ１０１の出力信号は図５に示す制御部６１に入力され、サーミスタ１００の替わりに湿度センサ１０１の出力信号に基づいて制御部６１が電動ルーバ１７Ａを動作させるものである。以下、図１４に示すフロー図の処理動作について説明する。
【０１１１】
ステップ２０では、湿度センサ１０１の出力信号に基づいて湿度を１秒毎に検出していき、この検出した浴室５１の湿度を採取する。
【０１１２】
ステップ２１では、浴室５１の湿度を採取した時点から所定時間（例えば１０分）経過したか否かが判断され、ノーであればステップ２０へ戻りイエスであればステップ２２へ進む。すなわち、所定時間（例えば１０分）経過するまでステップ２０，２１の処理が繰り返し行われる。
【０１１３】
そして、１０分経過するとステップ２２へ進み、ステップ２２では浴室５１の湿度を図示しないメモリに記憶させていく。すなわち、ステップ２２では１０分経過ごとに浴室５１の湿度を図示しないメモリに記憶させていく。
【０１１４】
ステップ２３では、上記メモリに記憶されたデータに基づいて過去１時間以内に第１湿度である最高湿度と第２湿度である最低湿度との湿度差が所定範囲（例えば１０％）のデータが有るか否かが判断され、ノーであればステップ２０へ戻り、イエスであればステップ２４へ進む。
【０１１５】
ステップ２４では、電動ルーバ１７Ａの第１の整流板１８ａおよび第２の整流板１８ｂが例えば一往復動作される。
【０１１６】
この第６実施例では、サーミスタ１００の替わりに湿度センサ１０１を使用して浴室５１の使用状態を、すなわち入浴時には浴室５１の湿度が上昇するのでこの上昇に基づいて判断し、この判断によって第１実施例と同様な動作を行うようにしたものである。
［第７実施例］
図１５は第７実施例の処理動作のフロー図を示したものである。この第７実施例では、第６実施例のステップ２３の後にステップ２４Ａを追加したものである。ステップ２４Ａは図１０に示す第２実施例のステップ５Ａと同じ処理動作を行う。
【０１１７】
この第７実施例は第２実施例と同様な効果を得ることができる。
［第８実施例］
図１６は第８実施例の処理動作のフロー図を示したものである。この第８実施例では、第６実施例のステップ２４の後にステップ２５を追加したものである。ステップ２５は図１１に示す第３実施例のステップ６と同じ処理動作を行う。
【０１１８】
この第８実施例は第３実施例と同様な効果を得ることができる。
［第９実施例］
図１７は第９実施例の処理動作のフロー図を示したものである。この第９実施例では、第６実施例のステップ２３の後にステップ２４Ａを追加し、ステップ２４の後にステップ２５を追加したものである。
【０１１９】
この第９実施例は第４実施例と同様な効果を得ることができる。
［第１０実施例］
図１８は第１０実施例の処理動作のフロー図を示したものである。この第１０実施例では、浴室５１内に設けられている照明灯（図示せず）の点灯時間を累積する累積手段を設ける。この累積手段は、例えば照明灯スイッチをオンにしている時間を、すなわち照明スイッチがオンになり照明灯に通電している時間を検出し、このオンしている期間タイマを作動させていき、このタイマがカウントする時間で点灯時間の累積を求める。以下、図１８に示すフロー図の処理動作について説明する。なお、照明灯の点灯時間の検出は照度センサなどの他の検出手段であってもよい。
【０１２０】
ステップ３０では、浴室５１の照明点灯累積時間が２時間に達したか否かが判断され、ノーであればステップ３０へ戻り、イエスであればステップ３１へ進む。
【０１２１】
ステップ３１では、照明点灯累積時間すなわちタイマのカウント時間がクリアされる。
【０１２２】
ステップ３２では、所定時間経過（例えば１時間経過）したらステップ３３へ進めるものである。
【０１２３】
ステップ３３では、第１実施例と同様に電動ルーバ１７Ａの第１の整流板１８ａおよび第２の整流板１８ｂが例えば一往復動作される。
【０１２４】
ステップ３４では、電動ルーバ１７Ａを作動させた後に５時間経過したときステップ３０へ戻すものである。
【０１２５】
この第１０実施例は、浴室５１の照明の点灯時間の累積により浴室５１の使用状態を判断するものであり、第４実施例と同様な効果を得ることができる。また、第１０実施例のステップ３２とステップ３４の処理動作を省略してもよく、あるいはそのどちらか一方の処理動作を省略してもよい。
［第１１実施例］
図１９は第１１実施例の処理動作のフロー図を示したものである。この第１１実施例では、浴槽５２（図４参照）に湯張りを行ったか追い炊きを行ったかを見て浴室５１の使用状態を判断するものである。この場合、図示しない給湯器リモコンの信号が図５に示す制御部６１に入力するようにしておく。以下、図１９のフロー図の処理動作について説明する。
【０１２６】
ステップ４０では、図示しない給湯器リモコンによって湯張りが開始されたか否かが判断され、イエスであればステップ４２へ進み、ノーであればステップ４１へ進む。
【０１２７】
ステップ４１では、給湯器リモコンによって追い炊きが実施されたか否かが判断され、ノーであればステップ４０へ戻り、イエスであればステップ４２へ進む。
【０１２８】
ステップ４２では、所定の経過時間すなわち所定の待ち時間が経過したか否かが判断され、ノーであればステップ４２へ戻り、イエスであればステップ４３へ進む。
【０１２９】
ステップ４３では、第１実施例と同様に電動ルーバ１７Ａの第１の整流板１８ａおよび第２の整流板１８ｂが例えば一往復動作される。
【０１３０】
この第１１実施例も第２実施例と同様な効果を得ることができる。
［第１２実施例］
図２０は第１２実施例の処理動作のフロー図を示したものである。以下、図２０のフロー図の処理動作について説明する。
【０１３１】
ステップ５０では、操作部６２の操作ボタンの操作によって浴室空調装置１の運転状態が変更されたか否かが判断され、ノーであればステップ５０へ戻り、イエスであればステップ５１へ進む。
【０１３２】
ステップ５１では、電動ルーバ１７Ａが一往復動作される。すなわち、電動ルーバ１７Ａの第１の整流板１８ａおよび第２の整流板１８ｂを一往復させる。
【０１３３】
この第１２実施例によれば、電動ルーバ１７Ａを動作させない運転モードしか設定しない場合であっても、浴室空調装置１の運転状態が変更されれば電動ルーバ１７Ａの第１の整流板１８ａおよび第２の整流板１８ｂが動作されるので、第１の整流板１８ａおよび第２の整流板１８ｂの固着を防止することができる。
【０１３４】
この第１２実施例でも電動ルーバ１７Ａの動作が終了したとき、この終了時点から一定時間は電動ルーバ１７Ａが動作しないようにしてもよい。
【０１３５】
上記実施例はいずれも、第１の整流板１８ａおよび第２の整流板１８ｂを一往復させているが、これに限らず例えが片道の往動だけさせてもく、あるいは数往復させてもよい。また、所定時間だけ電動ルーバ１７Ａを動作させてもよい。
【０１３６】
また、実施例はいずれも、２つの整流板１８ａ，１８ｂを有する電動ルーバ１７Ａを動作させる場合について説明したが、整流板が１つしかない電動ルーバの場合には１つの整流板を動作させる。
【０１３７】
なお、本発明の可動手段は吹出口に設けた電動ルーバでなくともよく、吸込口の開度を調整して浴室内より吸い込む空気を調節する吸込量調整ダンパ（シャッタ）に本発明を用いてもよい。なお、吸込口の開度の調整とは全開や全閉のみのダンパ（シャッタ）を含むものである。
【図面の簡単な説明】
【０１３８】
【図１】本実施の形態の浴室空調装置の一例を示す構成図である。
【図２】本実施の形態の浴室空調装置の一例を示す構成図である。
【図３】電動ルーバ一例を示す斜視図である。
【図４】本実施の形態の浴室空調装置の設置例を示す浴室の構成図である。
【図５】本実施の形態の浴室空調装置の制御系の一例を示す機能ブロック図である。
【図６】電動ルーバの動作例を示す説明図である。
【図７】電動ルーバの動作例を示す説明図である。
【図８】第１実施例の処理動作を示したフロー図である。
【図９】入浴時の浴室の温度の変化を示したグラフである。
【図１０】第２実施例の処理動作を示したフロー図である。
【図１１】第３実施例の処理動作を示したフロー図である。
【図１２】第４実施例の処理動作を示したフロー図である。
【図１３】第５実施例の処理動作を示したフロー図である。
【図１４】第６実施例の処理動作を示したフロー図である。
【図１５】第７実施例の処理動作を示したフロー図である。
【図１６】第８実施例の処理動作を示したフロー図である。
【図１７】第９実施例の処理動作を示したフロー図である。
【図１８】第１０実施例の処理動作を示したフロー図である。
【図１９】第１１実施例の処理動作を示したフロー図である。
【図２０】第１２実施例の処理動作を示したフロー図である。
【符号の説明】
【０１３９】
１              浴室空調装置
９              吹出口
１７Ａ            電動ルーバ
１８ａ            第１の整流板
１８ｂ            第２の整流板
１９ａ            ルーバモータ
１９ｂ            ルーバモータ
６１              制御部
１００            サーミスタ
【図１】
2007315709.tif 000003
【図２】
2007315709.tif 000004
【図３】
2007315709.tif 000005
【図４】
2007315709.tif 000006
【図５】
2007315709.tif 000007
【図６】
2007315709.tif 000008
【図７】
2007315709.tif 000009
【図８】
2007315709.tif 000010
【図９】
2007315709.tif 000011
【図１０】
2007315709.tif 000012
【図１１】
2007315709.tif 000013
【図１２】
2007315709.tif 000014
【図１３】
2007315709.tif 000015
【図１４】
2007315709.tif 000016
【図１５】
2007315709.tif 000017
【図１６】
2007315709.tif 000018
【図１７】
2007315709.tif 000019
【図１８】
2007315709.tif 000020
【図１９】
2007315709.tif 000021
【図２０】
2007315709.tif 000022